(57)【特許請求の範囲】
【請求項１】
生物学的試料中のアルブミン測定のための試験具であって、３，４，５，６−テトラブロモフェノールスルホンフタレイン、３′，３″−ジニトロ−３，４，５，６−テトラブロモフェノールスルホンフタレイン及び３′，３″−ジブロモ−３，４，５，６−テトラブロモフェノールスルホンフタレインからなる群より選択されたポリハロゲン化フェノールスルホンフタレイン蛋白質エラー指示薬からなる単一の蛋白質エラー指示薬、ｐＨを１．５〜４．５の間に調整するための緩衝剤及び１０重量％又はそれ未満の量の脂肪族ポリエーテル−ポリカーボネートを含浸させた担体マトリックスを含むことから本質的になることを特徴とする試験具。
【請求項２】
脂肪族ポリエーテル−ポリカーボネートが、２％又はそれ未満の量で存在し、下記式：
【化１】
0003667370.tif 000010
（式中、ｎは、４〜１５の数であり、そしてｍは、１〜１０の数である）
で示される構造を有する請求項１記載の試験具。
【請求項３】
生物学的試料中のアルブミンを検出する方法であって、（ａ）分析用試験片を生物学的試料で湿らし、該試験片が、第１水性浸液中でｐＨを１．５〜４．５の間に調整するために加えられた緩衝剤を含浸させた吸収性担体を含み、次いで該吸収性担体に、３，４，５，６−テトラブロモフェノールスルホンフタレイン、３′，３″−ジニトロ−３，４，５，６−テトラブロモフェノールスルホンフタレイン及び３′，３″−ジブロモ−３，４，５，６−テトラブロモフェノールスルホンフタレインからなる群より選択されたポリハロゲン化フェノールスルホンフタレイン蛋白質エラー指示薬から本質的になる単一の蛋白質エラー指示薬及び脂肪族ポリエーテル−ポリカーボネート１０重量％又はそれ未満を含む非水性溶媒溶液を含浸させる工程；及び（ｂ）試験片のいかなる色変化をも観察かつ記録する工程を含み、色変化が該生物学的試料中のアルブミンを表示する方法。
【請求項４】
脂肪族ポリエーテル−ポリカーボネートが、２％又はそれ未満の量で存在し、下記式：
【化２】
0003667370.tif 000011
（式中、ｎ及びｍは、請求項２と同義である）
で示される構造を有する請求項３記載の方法。
【発明の詳細な説明】
【０００１】
【産業上の利用分野】
本発明は、全般的には蛋白質の検出に関し、より詳細には、フェノールスルホンフタレイン蛋白質エラー指示薬、緩衝剤及び１０重量％又はそれ未満の量で存在する脂肪族ポリエーテル−ポリカーボネートを利用して生物学的試料中の蛋白質を測定する、新規組成物及び方法に関する。
【０００２】
【従来の技術】
腎臓、循環器系及び中枢神経系に影響を及ぼす様々な病理学的状態の診断においては、生物学的試料中に蛋白質が存在するかどうかの測定は、非常に重要である。したがって、尿中の蛋白質（アルブミン）を定性的及び／又は定量的に測定する必要のある場合は多い。糖尿病及び腎臓疾患の診断においては、これは特に重要である。糖尿病において主に測定される蛋白質はアルブミンであり、このため蛋白尿の試験に用いるモデルシステムはアルブミンである。
【０００３】
尿中にアルブミンが存在するかどうかを測定するための方法は、良く知られている。アルブミン測定のための最も安価で便利な方法は、蛋白質エラー指示薬を含浸させた紙製の試験片を、少量の尿で湿らせるものである。アルブミンが尿試料中に存在すれば、その色が変わることによって試験片がその存在を表示する。通常、観察される色は、試料中のアルブミン濃度に応じて変化する。このような色の変化が、試料中のアルブミンの定量に利用される。
【０００４】
上述した種類の試験片は、現場での蛋白質の測定には便利で速やかに使用できる手段であるが、これまでに生じている問題の一つが、いわゆる比重効果である。尿中蛋白質の試験においては、代表的には蛋白質と複合体を形成すると（pH指示薬の「蛋白質エラー」）pKa の変化を示すpH指示薬である染料が、用いられている。この方法によっては、陰性の尿と、痕跡程度の量の蛋白質（１dl当たり約１５μg ）を含む尿とが十分に分離されず、高比重の尿においては偽の陽性の結果が得られてしまう。蛋白質エラー指示薬にある種のポリカーボネート化合物を加えると、試薬紙の初期反応性が低下し、高比重尿試料が蛋白質について陽性の結果を示す傾向が小さくなる。
【０００５】
このような装置の作成に当たって生じるもう一つの問題は、通常はろ紙である吸収材が、このシステム中で使用している試薬と一定（つまり均一な）の反応性を示さないという点である。ろ紙は、ロットによっては、同じ担体マトッリクス材が他の被分析物の測定に用いる試薬組成物と反応する以上に、蛋白質測定に必要な試薬と反応してしまうことが多い。
【０００６】
試薬組成物と、使用する担体マトリックス材との間で均一な反応性が得られるよう処方物を調製するという課題が、この分野においては長く解決されずにいた課題であり、業界においては非常に重要な課題の一つであった。当初は、試薬組成物のpHの調整によって、試薬組成物と担体マトリックス材の反応性がまちまちであるとの問題が解決されると考えられた。しかし、pHの調節は、すべてのロットの担体マトリックス材には有効ではなかった。所望の結果は、陰性の場合により薄く、陽性の場合より濃い色を呈する試薬組成物を得ることであった。ポリエチレン界面活性剤であるトリトン（Triton）Ｘ−１００は、反応性には影響を及ぼすことが認められたが、呈色領域の陰性および陽性末端の両方においては、薄い色を呈した。
【０００７】
反応性を調節するための別の方法についても検討された。例えば、試薬組成物のあらゆる成分を変更したが、変更しても、所望の陰性ではより薄く、陽性ではより濃い色を示すのに有効ではなかった。ポリビニルアルコールもまた試薬組成物中に導入されたが、異なるロットの担体マトリックスとの試薬の反応性を調節するには有効ではなかった。
【０００８】
このように、品質管理を適正に行っても、有効なスクリーニングを行い、在庫制限を行うよう試みても、異なるロットの担体マトリックス材における反応性の問題は、有効に解決することができなかった。
【０００９】
【発明が解決しようとする課題】
蛋白質測定に関する上述したような反応性の問題を克服するために、独特の試薬組成物が調製され、試薬組成物と担体マトリックスとの間の反応性の変動を実質的になくするような方法で処方化された。さらにまた、測定に際して、尿pHのバラつきが小さくなることも、本試薬組成物がもたらしたもう一つの効果である。
【００１０】
【課題を解決するための手段】
本発明は、生物学的試料中の蛋白質検出のための分析用試験片であって、フェノールスルホンフタレイン蛋白質エラー指示薬、緩衝剤及び１０重量％又はそれ未満の量で存在する脂肪族ポリエーテル−ポリカーボネートを含浸させた吸収性担体マトリックスからなる試験片を提供するものである。
【００１１】
本発明によれば、試薬組成物を吸収性担体に、２浸液により含浸させる操作を行い、まず緩衝剤並びに所望であればＦＤ＆Ｃ黄色＃５及びＦＤ＆Ｃ＃３などのバックグラウンド染料を、水溶液から吸収性担体に含浸させ、次にポリハロゲン化フェノールスルホンフタレイン蛋白質エラー指示薬及び脂肪族ポリエーテル−ポリカーボネート化合物を、アルコール溶液などの非水性溶媒を用いて第２浸液により含浸させる。
【００１２】
本発明のもう一つの特徴は、分析用試験片を生物学的試料で湿らせる、生物学的試料中の蛋白質を検出する方法に関する。湿らせる試験片は、上述した試薬組成物を含浸させた吸収性担体を含む。試験片を観察して、生物学的試料中の蛋白質の存在及びその量の両方を指示する色変化を、検出する。
【００１３】
本発明により、生物学的液体中の蛋白質測定のための試験片は、様々なロットの担体マトリックスを使用しても、担体マトリックス及び試薬組成物との間で有意な反応性の相違を伴うことなく調製することができることを見いだした。これに加えて、視覚的検出及び装置による検出の両方に関し、検出限界に対する尿のバラつきの影響が、本発明の試薬組成物により小さくなることも認められている。
【００１４】
本発明は、吸収性担体マトリックスに試薬組成物を含浸させることにより達成される。吸収性担体マトリックスは、好ましくはろ紙である。好ましいろ紙は、Ahlstrom Filtration Inc.より得られる、木とセルロースパルプの混合物を含むグレード２０４のろ紙である。このろ紙は、ロットによって異なる。過去においては、スクリーニングと在庫制限は、最適な試薬の性能を保証するには無効であった。
【００１５】
吸収性担体として有用なその他の材料としては、フェルト、多孔性セラミック片、及び織り、からみ合わせたガラス繊維（米国特許第３，８４６，２４７号に記載されている）が挙げられる。また、試験片の適切な吸収性担体としては、木、布、スポンジ材及び粘土質物質（米国特許第３，５５２，９２８号に記載されている）が示唆される。しかし、ロット毎に変動があるにもかかわらず、ろ紙が特に適切である。
【００１６】
吸収性担体マトリックスに、上述したような方法で試薬組成物を含浸させる。水性第１浸液及び非水性溶媒溶液第２浸液を用いた２浸液含浸操作によって最適な結果が得られることが認められている。吸収性片には、好ましくは緩衝剤を含有させて、pHを約１．５〜４．５の間に調整する。このシステムのpHは、好ましくは約３．５、最も好ましくは約３．７に調節する。しかし、緩衝剤系のこの特性は必須ではない。良く知られているあらゆる緩衝剤を使用することができる。好ましい緩衝剤としては、クエン酸及びクエン酸ナトリウムが挙げられる。
【００１７】
緩衝剤が、９．３g/dl以上含まれる場合は、試薬の過剰が問題となり、緩衝剤が７．１g/dl未満で含まれる場合は、緩衝効果は十分ではない。緩衝剤の量が約８．７g/dlであるのが最適である。
【００１８】
緩衝剤の他、所望であれば赤色染料および黄色染料を第１浸液において加えることができる。試薬組成物に適切ないかなる赤色染料をも使用することができる。しかし、ＦＤ＆Ｃ赤色染料＃３が好ましい。好ましい黄色染料としては、ＦＤ＆Ｃ黄色染料＃５が挙げられる。これらの染料は、陰性であるレベルでの尿の着色をマスクする。この他の染料、界面活性剤なども、また、所望により添加可能な成分として第１浸液に加えることができる。
【００１９】
一般的には、約４０ｇ／１００リットル以上、６０ｇ／１００リットル未満の量の染料を使用することができる。テトラブロモフェノールブルー（ＴＢＰＢ）については、５０ｇ／１００リットルが最適である。
【００２０】
第２浸液においては、蒸発を防ぐために、非水性溶媒、好ましくはエタノール溶液が使用される。従来のポリハロゲン化フェノールスルホンフタレイン蛋白質エラー指示薬を、指示薬化合物として使用することができる。適切な指示薬としては、以下の化合物が挙げられる。
３，４，５，６−テトラブロモフェノールスルホンフタレイン（ＴＢＰＳＰ）；
３′，３″−ジニトロ−３，４，５，６−テトラブロモフェノールスルホンフタレイン（ＤＮＴＢ）；
３′，３″−ジブロモ−３，４，５，６−テトラブロモフェノールスルホンフタレイン（ＤＢＴＢ）；
３′，３″−ジヨード−３，４，５，６−テトラブロモフェノールスルホンフタレイン（ＤＩＴＢ）；
３′，３″，５′，５″−テトラニトロ−３，４，５，６−テトラブロモフェノールスルホンフタレイン（ＴＮＴＢ）；
３′，３″−ジニトロソ−５′，５″−ジブロモフェノール−３，４，５，６−テトラブロモスルホンフタレイン（ＤＮｏＨＢ）；
３′−３″−ジヨード−５，５″−ジニトロソフェノール−３，４，５，６−テトラブロモスルホンフタレイン（ＤＩＤＮｏ）；
３′，３″−ジニトロ−５′，５″，３，４，５，６−ヘキサブロモフェノールスルホンフタレイン（ＤＮＨＢ）；
３′−ニトロ−５′，５″−ジヨード−３″，３，４，５，６−ペンタブロモフェノールスルホンフタレイン（ＮＤＩＰＢ）；
３′，３″−ジヨード−５′，５″−ジニトロフェノール−３，４，５，６−テトラブロモスルホンフタレイン（ＤＩＤＮＴＢ）；
３′，３″−ジニトロ−５′，５″−ジブロモ−３，４，５，６−テトラヨ−ドフェノールスルホンフタレイン（ＤＮＤＢＴＩ）；
３′，３″，５′，５″−テトラクロロ−３，４，５，６−テトラブロモフェノールスルホンフタレイン（ＴＣＴＢ）；
３′，３″，５′，５″−テトラブロモ−３，４，５，６−テトラヨ−ドフェノールスルホンフタレイン（ＴＢＴＩ）；
３′，３″，５′，５″−テトラヨードフェノール−３，４，５，６−テトラブロモスルホンフタレイン（ＴＩＴＢ）；
３′，３″−ジスルホ−５′，５″−ジクロロ−３，４，５，６−テトラブロモフェノールスルホンフタレイン（ＤＳＤＣ）；及び
３′，３″−ジスルホ−５′，５″−ジブロモフェノール−３，４，５，６−テトラブロモスルホンフタレイン（ＤＳＨＢ）。
テトラブロモフェノールスルホンフタレインが、好ましい化合物である。
【００２１】
第２浸液試薬組成物のその他の必須成分は、脂肪族ポリエーテル−ポリカーボネート化合物である。好ましい化合物は、ジフェニルカーボネート及び二官能性ヒドロキシ（アルコール）化合物又は二官能性ヒドロキシ化合物の混合物を用いて調製する。その調製に用いるポリカーボネートの種類、その分子量およびアルコールは、第１表に記載した。
【００２２】
【表１】
0003667370.tif 000002
【００２３】
第１表中の最後の化合物が特に好ましい。ポリエーテルＬ９５０（登録商標：Bayer AG）とジフェニルカーボネートとを、チタニウム（IV）ブトキシドにより触媒的に縮合することによって調製されるこのポリプロピレンオキシドカーボネートコポリマーは、以下の構造を有する。
【００２４】
【化３】
0003667370.tif 000003
【００２５】
出発物質であるポリエーテルＬ９５０は、数平均分子量が約４２０である二官能性ポリプロピレングリコールであり、１，２−プロパンジオールの存在下でプロピレンオキシドを重合させることによって調製される。ポリマー鎖は、各ジオール残基で成長を停止するので、各末端が２級ヒドロキシル基で終了する線状ポリエーテルが得られる（つまり、ヒドロキシル基による二官能性）。ｎは、３〜２５の数であり、好ましくは４〜１５の数、最も好ましくは４〜１１の数であり、そしてｍは、１〜１０の数であり、好ましくは１〜７の数、最も好ましくは１〜５の数である。このポリエーテル−ポリカーボネート化合物は、第２表に示した比率によるポリエーテル残基とカーボネートの結合により得られる。
【００２６】
【表２】
0003667370.tif 000004
【００２７】
比重効果を減少させるには、脂肪族ポリエーテル−ポリカーボネート化合物の量を、１０重量％又はそれ未満に制限することが重要であることが認められている。ろ紙効果を減少させるには、脂肪族ポリエーテル−ポリカーボネート化合物の量を、２重量％又はそれ未満に制限することが望ましいことが認められている。
【００２８】
【実施例】
以下に実施例を示して、本発明の好ましい実施態様及び有用性を述べるが、請求項に特に記載しない限り、本発明を限定することを意図するものではない。
【００２９】
実施例１
Ａ．ポリカーボネート含有蛋白質試薬紙及びポリマー無含有対照試薬の調製
有用なポリマーを確認する目的で、これらの非緩衝蛋白質試薬を、緩衝試験溶液と共に使用した。
浸液溶液：０．３mMテトラブロモフェノールブルー、ＴＢＰＢ及び０．１％又は１．０（Ｗ／Ｖ）％ポリカーボネートのＴＨＦ溶液。（対照試薬は、ポリマーを含有しない以外は、浸液溶液と同様に調製した）。
【００３０】
浸液溶液を、巻取り速度４フィート／分でWhatman ＣＣＰ−５００紙に含浸させ、６０℃で乾燥した。試薬紙を、０．２ｘ０．２インチのパッドを含む試薬片に加工した。
【００３１】
Ｂ．試薬の反応性の測定
１．試料。試薬紙を、pH３．５又は４．０のいずれかであり、ヒト血清アルブミン（ＨＳＡ）２０mg/dl を含有するか又は含有しない０．２０Ｍクエン酸カリウム緩衝液に浸漬した。
【００３２】
２．機器による測定。試料中に本片を浸漬してから２０秒後に、CLINITEK２００（登録商標）により６３０nm（６１０nmでも可）における反射パーセントを測定した。Ｋ／Ｓは、式：Ｋ／Ｓ＝（１−Ｒ）2 ／２Ｒに従って算出した。それぞれの値は、１０回の測定値の平均値である。
【００３３】
Ｃ．結果及び考察
１．データ。
【００３４】
【表３】
0003667370.tif 000005
【００３５】
（１）対照の紙のＫ／Ｓ値は約０．０５２であることが認められた。したがって、対照の減少％は、〔｛（ポリマーを含まない対照のＫ／Ｓ−０．０５２）−（ポリマーを含む対照のＫ／Ｓ−０．０５２）｝／（  ポリマーを含まない対照のＫ／Ｓ−０．０５２）〕ｘ１００である。
（２）傾きの減少％は、〔（ポリマーを含まない場合の傾き−ポリマーを含む場合の傾き）／（  ポリマーを含まない場合の傾き）〕ｘ１００である。
同様の結果が、pH４．０においても得られた。
【００３６】
２．考察。pH３．５及びpH４．０のいずれの緩衝溶液においても、ある種のポリカーボネートは、傾きを低下させる以上に対照値を低下させた。この実験結果より、ポリカーボネートを加えて蛋白質試薬（緩衝剤及びＴＢＰＢの両方を含む）を完成させることによって、初期色（対照）が薄くなり、そのため偽陽性の発生率が低下したと推定された。
【００３７】
実施例２
Ａ．ＴＢＰＢ−１０％ＫＯＫ１０，０７１蛋白質試薬処方
１．保存用緩衝液。クエン酸１４．７５ｇ、クエン酸ナトリウム１０．９３ｇ及びＦＤ＆Ｃ黄色＃５の７．２mgを蒸留水１５４mlに溶解し、pH３．４６の溶液を得た。
２．第１浸液。（ａ）保存用緩衝液１７．９４ｇ；（ｂ）エタノール５．０ｇ；及び（ｃ）蒸留水２．４７ｇ。
３．第２浸液。（ａ）ＴＰＢＰ７．５mg；（ｂ）ＫＯＫ１０，０７１２．５ｇ；及び（ｃ）ＴＨＦを加えて２５mlとする。
Ｂ．同一の第１浸液及びポリマーを含まない第２浸液により、対照処方物を調製した。
【００３８】
これらの浸液を、巻取り速度４フィート／分でＥ＆Ｄ２３７Ｃ紙に含浸させ、第１浸液については８０℃、第２浸液については６０℃の温度で乾燥した。
【００３９】
Ｃ．試薬の反応性の測定
１．試料。試験に用いた試料は、（１）陰性中比重貯蔵尿及び中比重貯蔵尿に加えて１５mg/dl の濃度としたＨＳＡ、及び（２）臨床的に陰性* である高比重尿試料３種（比重は、Ａで１．０２８；Ｂで１．０２７；及びＣで１．０２７）。これらの試料の反応性を、CLINITEK２００を用いて測定した（１試料につき３回測定）。
＊）臨床的に陰性は、Sulfosal試薬及びＨＳＡ＜２mg／dl及び総タンパク質＜１０mg／dlを含むことにより陰性と定義される。この目的は、１５mg／dlＨＳＡにより得られる小さな応答である臨床的に陰性尿の応答を得ることである。
【００４０】
２．各試料に関し、データをＫ／Ｓ値として示した。加えて、高比重尿試料それぞれによる影響は、〔（Ｋ／Ｓ高比重−Ｋ／Ｓ対照）／（Ｋ／Ｓ１５mg/dl −Ｋ／Ｓ対照）〕ｘ１００として示した。この寄与は、高比重尿によるＨＳＡ１５mg/dl の反応性のパーセントである。
【００４１】
【表４】
0003667370.tif 000006
【００４２】
初期色及びＨＳＡに対する反応性の両方が、１０％ＫＯＫ１０，０７１により低下した。しかし、陰性高比重尿による寄与も、また、かなり低下した。したがって、１０％ＫＯＫ１０，０７１ポリマーの存在により、高比重尿試料が、偽陽性の結果を示す可能性が小さくなると考えられる。
【００４３】
別の試料についても、４％ＫＯＫ１０，０７１を含む蛋白質試薬及び含まない蛋白質試薬を含むＴＢＰＢの比較を行った。
【００４４】
実施例３
Ａ．ＴＢＰＢ−ＫＯＫ蛋白質試薬処方物（浸液１００mlを調製するための量）
１．第１浸液（０．４５Ｍクエン酸ナトリウム、pH３．７０、０．０３mMＦＤ＆Ｃ黄色；水溶液）。（ａ）０．９Ｍクエン酸ナトリウム５０ml、pH３．７０；（ｂ）１mMＦＤ＆Ｃ黄色＃５の３．０ml；及び（ｃ）蒸留水４７ml。
【００４５】
２．第２浸液（０．３０mMＴＢＰＢ、４（Ｗ／Ｖ）％ＫＯＫ１０，０７１；ＴＨＦに溶解）。
（ａ）１mMＴＢＰＢのＴＨＦ溶液３０ml；（ｂ）１０％ＫＯＫ１０，０７１のＴＨＦ溶液４０ml；及び（ｃ）ＴＨＦ３０ml。
対照処方物を、同じ第１浸液及びポリマーを含まない第２浸液を用いて調製した。これらの浸液を、実施例２と同様にＥ＆Ｄ２３７Ｃ紙に含浸させた。
【００４６】
Ｂ．試薬の反応性の測定
１．試料。中比重尿の試料に、上述したようにＨＳＡを加えた。臨床的に陰性な高比重尿１種（Ａ；比重＝１．０３０；pH＝５．６）及び考案したアルカリ性高比重貯蔵尿１種（Ｂ；比重＝１．０２４；pH＝８．７）を使用して、偽陽性を読み取る可能性について試験した。高比重尿「Ｂ」を「最悪症例」の例として用い、ＫＯＫポリマー効果の限界について試験を行った。CLINITEK２００＋を用い、各試料につき６回測定を繰り返し、得られたデータを第５表に示した。
【００４７】
【表５】
0003667370.tif 000007
【００４８】
実施例２の試料と同様、初期色及びＨＳＡに対する反応性が、ポリカーボネートＫＯＫ１０，０７１により低下した。同様に、陰性高比重試料の寄与も、また、ポリカーボネートを含まない試料に関しては、小さくなる。これによって、ポリカーボネートにより高比重尿試料が偽陽性の結果を示す可能性が小さくなることが確認される。
【００４９】
実施例４
クエン酸ナトリウム４１７ｇ、クエン酸４５５ｇ、ＦＤ＆Ｃ黄色＃５の０．２９ｇ及びＦＤ＆Ｃ赤色＃３の０．５ｇ、並びにＰＶＡ２４ｇを含み、最終的にpH３．７に調整した水溶液１０リットルを用いて、グレード２０４Ｃのろ紙に含浸させた。
【００５０】
第１浸液の乾燥後（８０〜１００℃の温度で）、第２浸液をろ紙に含浸させた。第２液（１０リットル）は、テトラブロモフェノーリスルホンフタレイン５ｇ、クエン酸５０ｇ、並びにポリエーテルＬ９５０及びジフェニルカーボネートとを、チタン（IV）ブトキシドにより触媒的に縮合することによって調製されるプロピレンオキシドカーボネートコポリマー１５０ｇのエタノール溶液であった。次いで、得られた物質を３５〜１０５℃の温度で乾燥した。
【００５１】
実施例５
パルプのロットのみが異なるろ紙のロットが、ＫＯＫを含まない蛋白質試薬と共に用いられた場合に、大きな反応性の相違を示した（第６表を参照）。ろ紙の繊維に対する染料及び蛋白質の結合の相違が、ロット間の相違をもたらす原因であると主張されている。さらにまた、ろ紙に対する染料の結合が増大すると、測定のバックグラウンドが増大し、ろ紙に対する蛋白質の結合が増大すると、測定の蛋白質応答が低下するとも主張されている。第６表は、ＫＯＫを含まない実施例４と類似した中心処方を有することに基づいている。
【００５２】
【表６】
0003667370.tif 000008
【００５３】
異なる２種類のマイルス（Miles ）社の装置、CLINITEK１０及びCLINITEK２００については、試薬の反応性を解読数値として表示した。解読数値は、６１０〜６６０nmにおける染料の最大吸収の反射率パーセントに基づく。解読数値が小さければ、反応性が高く、バックグラウンド色も大きいことが示される。試薬のpHは、これらの測定においては３．４６である。２３７及び２０４のグレードのろ紙は、Ahlstrom Filtration 社（Mt. Holly Springs ）の製品である。
【００５４】
実施例４に従って調製した分析用試験片を尿で湿らせ、生じる色変化を観察し、生物学的な尿試料における蛋白質を示すものとして記録した。
【００５５】
第７表に示すよう蛋白質４試薬「プロ４（Pro 4 ）」（実施例４に基づく）によりろ紙のロットによる寄与が大きく低下した。この減少により、生産性が増大し、試薬を用いて得られる結果がより一定となった。ポリマーは、セルロース繊維への染料の結合を開裂させることによって、ろ紙によるバラつきを減少させると考えられる。その結果、蛋白質試薬の反応性を、目標に対して一定に保つことができる。
【００５６】
【表７】
0003667370.tif 000009
【００５７】
例え異なるロットのろ紙を用いたとしても、試薬組成物とろ紙との間の反応性は、蛋白質の測定において重要な因子とはならないことが観察された。更に、試験片により、視覚的及び装置による検出限界の両方について、異なる尿試料によるバラつきが小さくなることが示された。これは、中及び高比重尿に対する検出限界が、視覚的及び装置による読み取り値の両方でまちまちであることの多い蛋白質測定に用いられているこの他の処方物とは反対である。
【００５８】
本発明は、多様に修正した形、及び別の形で使用することも可能であるが、その特有な実施態様は、実施例により示されており、詳細に記載されている。しかし、これらの実施例は、本発明を、開示されている特定の形に限定することを目的とするものではなく、反対にこの目的は、請求項に定義されているような本発明の精神及び範囲内であるあらゆる修正物、均等物及び代替物を含むものであることが理解されなければならない。